【手続補正書】
【提出日】平成18年10月5日(2006.10.5)
【手続補正１】
【補正対象書類名】特許請求の範囲
【補正対象項目名】全文
【補正方法】変更
【補正の内容】
【特許請求の範囲】
【請求項１】
燃焼器を運転するための方法であって、
炭化水素分子を含む液体燃料と、周囲空気よりも酸素含有量の少ない第１のガスの流れとを用いて燃料ガスを生成するステップと、
前記燃料ガスと第２のガスとを予混合して、燃焼器の燃焼ゾーンの上流における位置でガス混合物を生成するステップとを含み、前記第２のガスは酸素を含み、前記方法はさらに、
前記燃焼器の前記燃焼ゾーンにおいて前記ガス混合物を燃焼させるステップを含み、これにより、前記燃焼ゾーンの上流における前記ガス混合物の自己発火が実質的に抑制される、方法。
【請求項２】
前記ガス混合物は、前記ガス混合物の燃焼を維持するのに十分な量の酸素を有する、請求項１に記載の方法。
【請求項３】
前記ガス混合物は、１未満の等量比を有する希薄混合物である、請求項１に記載の方法。
【請求項４】
前記液体燃料のうちの少なくとも５０重量百分率の前記炭化水素分子は少なくとも２つの炭素原子を有する、請求項１に記載の方法。
【請求項５】
前記第１のガスの流れの酸素含有量は前記液体燃料の限界酸素指数未満である、請求項１に記載の方法。
【請求項６】
前記燃焼器は天然ガスのために構成された燃料計量システムを含む、請求項１に記載の方法。
【請求項７】
前記第１のガスの流れは空気分離器によって供給される、請求項１に記載の方法。
【請求項８】
前記空気分離器は吸着を用いて前記第１のガスの流れを作り出す、請求項７に記載の方
法。
【請求項９】
酸素を多く含む流れを前記空気分離器から前記燃焼器に供給するステップをさらに含む、請求項７に記載の方法。
【請求項１０】
前記酸素を多く含む流れは、前記燃焼ゾーンの下流における前記燃焼器に供給される、請求項９に記載の方法。
【請求項１１】
前記酸素を多く含む流れは、前記予混合するステップにおいて酸素の少ない燃料ガスと混合される、請求項９に記載の方法。
【請求項１２】
前記酸素の少ないガスの流れは予燃焼器の排気口から供給される、請求項１に記載の方法。
【請求項１３】
前記酸素の少ないガスの流れは前記燃焼器の排気口から供給される、請求項１に記載の方法。
【請求項１４】
前記ガス混合物の等量比は、メタンが同等の運転条件の下で燃焼され得る最小等量比未満である、請求項１に記載の方法。
【請求項１５】
前記液体燃料は、ディーゼル燃料、燃料油（heating oil）、ブタン、プロパン、ペンタン、ガソリンおよび可燃性の液体廃棄物からなる群から選択される燃料である、請求項１に記載の方法。
【請求項１６】
前記燃焼器はガスタービンエンジンである、請求項１に記載の方法。
【請求項１７】
希薄予混合方式で天然ガスを燃焼させるよう構成された燃焼器を運転するための方法であって、
周囲空気に比べて酸素含有量の少ないガスの流れを用いて高級炭化水素液体燃料を気化して、酸素の少ない燃料ガスを生成するステップと、
前記酸素の少ない燃料ガスと第２のガスとを予混合して、燃焼器の燃焼ゾーンの上流における位置でガス混合物を生成するステップとを含み、前記ガス混合物は前記ガス混合物の燃焼を維持するのに十分な量の酸素を有し、前記ガス混合物は１未満の等量比を有し、前記燃焼器は天然ガスを燃焼させるよう構成され、前記方法はさらに、
前記燃焼器の前記燃焼ゾーンにおいて前記ガス混合物を燃焼させるステップを含み、これにより、前記燃焼ゾーンの上流における前記ガス混合物の自己発火が実質的に抑制される、方法。
【請求項１８】
前記ガスの流れは前記燃焼器の排気ガスの流れから得られる、請求項１７に記載の方法。
【請求項１９】
前記ガスの流れは空気分離ユニットによってもたらされる、請求項１７に記載の方法。
【請求項２０】
前記空気分離ユニットからの酸素を多く含むガスの流れが前記燃焼器に投入される、請求項１７に記載の方法。
【請求項２１】
燃焼システムであって、
燃焼器を含み、前記燃焼器は、気化された燃料を受取る入口と、燃焼ゾーンと、前記燃焼ゾーンの上流にある予混合ゾーンとを有し、前記燃焼器は、前記予混合ゾーンにおいて気化された燃料を酸素が加えられたガスの流れと混合してガス混合物を生成し、前記燃焼
ゾーンにおいて前記ガス混合物を燃焼させるよう構成されており、前記燃焼システムはさらに、
前記燃焼器の前記入口に接続される燃料気化ユニットを含み、前記燃料気化ユニットは、酸素の少ない気化された燃料ガスの流れを前記入口を介し前記燃焼器に供給するよう構成され、前記燃料気化ユニットは、液体燃料源に接続可能な第１の入口と酸素の少ないガスの流れに接続可能な第２の入口とを有する燃料気化器を含む、燃焼システム。
【請求項２２】
前記燃焼器は、１未満の等量比で酸素の少ない気化された燃料ガスを燃焼するよう構成される、請求項２１に記載のシステム。
【請求項２３】
前記液体燃料源からの前記液体燃料のうちの少なくとも５０重量百分率の炭化水素分子は少なくとも２つの炭素原子を有する、請求項２１に記載のシステム。
【請求項２４】
酸素の少ないガスの流れの酸素含有量は前記液体燃料の限界酸素指数未満である、請求項２１に記載のシステム。
【請求項２５】
前記燃焼器は天然ガスのために構成された燃料計量システムを含む、請求項２１に記載のシステム。
【請求項２６】
前記燃料気化ユニットはさらに、第１の出口において酸素の少ない流れを生成するよう構成された空気分離ユニットを含み、前記第１の出口は前記燃料気化器の前記第２の入口に接続されている、請求項２１に記載のシステム。
【請求項２７】
前記空気分離器は吸着によって前記酸素の少ない流れを作り出す、請求項２６に記載のシステム。
【請求項２８】
前記空気分離ユニットはさらに、第２の出口において酸素を多く含む流れを生成するよう構成され、前記第２の出口は前記燃焼器に接続されている、請求項２６に記載のシステム。
【請求項２９】
前記第２の出口は、前記燃焼ゾーンの下流における前記燃焼器に前記酸素を多く含む流れを供給するよう接続される、請求項２８に記載のシステム。
【請求項３０】
前記第２の出口は、前記燃焼器の前記予混合ゾーンに前記酸素を多く含む流れを供給するよう接続される、請求項２８に記載のシステム。
【請求項３１】
前記酸素の少ないガスの流れは、前記燃焼器によって排出される排気ガスの流れから供給される、請求項２１に記載のシステム。
【請求項３２】
前記燃焼器は、前記混合物が、同等の運転条件の下でメタンを燃焼し得る最小等量比未満の等量比を有するように、前記気化された燃料を前記酸素が加えられたガスの流れと混合するよう構成される、請求項２１に記載のシステム。
【請求項３３】
前記液体燃料は液化ガスであり、前記液化ガスは大気圧下で室温では気体であり得る組成である、請求項２１に記載のシステム。
【請求項３４】
前記液体燃料は、ディーゼル燃料、燃料油、液化されたブタン、液化されたプロパン、液化されたペンタン、ガソリンおよび可燃性の液体廃棄物からなる群から選択される燃料である、請求項２１に記載のシステム。
【請求項３５】
前記燃焼器はガスタービンエンジンである、請求項２１に記載のシステム。
【請求項３６】
燃料気化ユニットであって、
燃料気化器と、
液体燃料の流れを供給するよう前記燃料気化器に接続される液体燃料の源と、
酸素の少ないガスの流れの排出物を有する空気分離器とを含み、前記酸素の少ないガスの流れの排出物は前記燃料気化器に接続され、
前記燃料気化器は、前記液体燃料および前記酸素の少ないガスの流れから気化された燃料混合物を生成する、燃料気化ユニット。
【請求項３７】
前記空気分離器は第１の圧縮器を介して前記燃料気化器に接続される、請求項３６に記載の燃料気化ユニット。
【請求項３８】
前記第１の圧縮器は前記酸素の少ないガスの流れを圧縮する、請求項３７に記載の燃料気化ユニット。
【請求項３９】
前記燃料気化器からの気化された燃料混合物はエンジンに供給される、請求項３６に記載の燃料気化ユニット。
【請求項４０】
前記エンジンは、圧縮点火エンジンおよび火花点火エンジンからなる群から選択される、請求項３９に記載の燃料気化ユニット。
【請求項４１】
前記燃料気化器からの気化された燃料混合物は燃焼器に供給される、請求項３６に記載の燃料気化ユニット。
【請求項４２】
前記空気分離器の酸素を多く含む流れの排出物は前記燃焼器に供給される、請求項４１に記載の燃料気化ユニット。
【請求項４３】
前記空気分離器の酸素を多く含む流れの排出物は圧縮器を介して前記燃焼器に供給される、請求項４１に記載の燃料気化ユニット。
【請求項４４】
前記燃焼器はタービンに供給される燃焼排出物を生成する、請求項４１に記載の燃料気化ユニット。
【請求項４５】
前記タービンは圧縮器を駆動する、請求項４４に記載の燃料気化ユニット。
【請求項４６】
前記圧縮器は圧縮されたガス排出物を有し、前記圧縮されたガス排出物は前記空気分離器に供給される、請求項４５に記載の燃料気化ユニット。
【請求項４７】
前記圧縮器は空気を圧縮する、請求項４６に記載の燃料気化ユニット。
【請求項４８】
圧縮空気は前記圧縮器の中間段階から抜取られ、前記空気分離器に供給される、請求項４３に記載の燃料気化ユニット。
【請求項４９】
前記ガス混合物のエネルギ含有量は天然ガスのエネルギ含有量にほぼ等しい、請求項１に記載の方法。
【請求項５０】
前記ガス混合物のエネルギ含有量は体積ベースで天然ガスのエネルギ含有量にほぼ等しい、請求項４９に記載の方法。
【請求項５１】
前記ガス混合物のエネルギ含有量は質量ベースで天然ガスのエネルギ含有量にほぼ等しい、請求項４９に記載の方法。
【請求項５２】
前記ガス混合物のエネルギ含有量は天然ガスのエネルギ含有量にほぼ等しい、請求項１７に記載の方法。
【請求項５３】
前記ガス混合物のエネルギ含有量は体積ベースで天然ガスのエネルギ含有量にほぼ等しい、請求項５２に記載の方法。
【請求項５４】
前記ガス混合物のエネルギ含有量は質量ベースで天然ガスのエネルギ含有量にほぼ等しい、請求項５２に記載の方法。
【請求項５５】
前記ガス混合物のエネルギ含有量は天然ガスのエネルギ含有量にほぼ等しい、請求項２３に記載のシステム。
【請求項５６】
前記ガス混合物のエネルギ含有量は体積ベースで天然ガスのエネルギ含有量にほぼ等しい、請求項５５に記載のシステム。
【請求項５７】
前記ガス混合物のエネルギ含有量は質量ベースで天然ガスのエネルギ含有量にほぼ等しい、請求項５５に記載のシステム。
【請求項５８】
液体燃料を気化するステップと、
空気分離器からの酸素の少ないガスと前記気化された液体燃料とを混合するステップと、
前記気化された液体燃料と前記酸素の少ないガスとの混合物を燃焼させるステップとを含む、方法。
【請求項５９】
空気分離器からの酸素の少ないガスを加熱するステップと、
前記加熱された酸素の少ないガスを用いて液体燃料を気化して、気化された燃料混合物を生成するステップと、
前記気化された燃料混合物を燃焼させるステップとを含む、方法。